(57)【要約】【課題】  カウンター本体の前縁部の一部分が隣接する浴槽の上縁部分に略沿って前方へ一体に突出延設されている浴室カウンターにおいて、同突出延設部の先端付近の浮き上がりが簡単且つ確実に防止されるようにする。【解決手段】  浴室の内壁面１に突設される浴室カウンターにおいて、カウンター本体２の前縁部2aの一部分が隣接する浴槽３の上縁部分に略沿って前方へ一体に突出延設されており、この突出延設部４の先端付近に浴槽３側へ出入操作自在な係止片５を設け、浴槽３のフランジ部６の下側に同係止片５を係合させた。【選択図】図１
2005198922.tif 000002
【特許請求の範囲】
【請求項１】
浴室の内壁面に突設される浴室カウンターであって、カウンター本体の前縁部の一部分が隣接する浴槽の上縁部分に略沿って前方へ一体に突出延設されており、この突出延設部の先端付近に浴槽側へ出入操作自在な係止片を設け、浴槽のフランジ部の下側に同係止片を係合させてなる浴室カウンター。
【請求項２】
浴室の洗い場床パンの側縁部分にエプロン体が立設され、このエプロン体の上端部分に浴槽側へと折曲した段部が形成されており、浴槽のフランジ部及びカウンター本体の突出延設部が同段部上に載設された状態で係止片を同フランジ部の下側に係合させてなることを特徴とする請求項１記載の浴室カウンター。
【請求項３】
エプロン体の段部の浴槽側端縁に上方へ折曲した立ち上がり片を形成し、浴槽のフランジ部の洗い場側端縁に下方へ折曲した垂下片を形成し、この垂下片を同立ち上がり片の外側に係合させ、この状態で係止片を同垂下片の下端縁に係合させてなることを特徴とする請求項２記載の浴室カウンター。
【請求項４】
カウンター本体の突出延設部の裏側に略Ｌ字平板状の係止片をその略中央を軸部として水平面内回動自在に枢着し、この係止片の一辺を同突出延設部の浴槽側から出入自在となって浴槽のフランジ部の下側に係合される係合部となすと共に、他辺を同突出延設部の洗い場側から出入自在となる操作部となしたことを特徴とする請求項１〜３のいずれか一つに記載の浴室カウンター。
【請求項５】
カウンター本体が横長状でその前縁部が湾曲状に凹んだ形状に形成されることで、同カウンター本体の一側端前縁部に突出延設部が延設されていることを特徴とする請求項１〜４のいずれか一つに記載の浴室カウンター。
【発明の詳細な説明】
【技術分野】
【０００１】
本願発明は、浴槽に隣接する位置で浴室の内壁面に突設される浴室カウンターに関するものである。
【背景技術】
【０００２】
従来から、図８に示す如く、浴室の内壁面１に突設される浴室カウンターは知られており（特許文献１：特開平９−１３７１０号公報）、この浴室カウンターでは、カウンター本体２の前縁部2aの中程一部分が隣接する浴槽３の上縁部分に略沿って前方へ一体に突出延設されている（突出延設部４）。この場合、浴室の洗い場床パン７の側縁部分にはエプロン体８が立設されており、このエプロン体８の上端部分に浴槽３のフランジ部６が係合載設されている。また、カウンター本体２の下方のスペースを覆い隠すために、同カウンター本体２の前縁部2aの下側に化粧カバー13が取着されている。
【０００３】
したがって、前記浴室カウンターにあっては、浴槽３のフランジ部６に近接して腰をおろすことのできる突出延設部４が設けられているので、同浴槽３への出入りを楽に行うことができる。しかしながら、この場合、突出延設部４を支持する強度が十分ではなく、同突出延設部４を前方へ長く突出延設させることができず、大きな利用面積を得たりデザイン性を向上させたりすることは困難であった。
【０００４】
そこで、本出願人は、前記突出延設部４が前方へ長く突出延設される場合に、図９に示す如く、エプロン体８の上端部分に浴槽３側へと折曲した段部９を形成し、浴槽３のフランジ部６だけでなくカウンター本体２の突出延設部４をも同段部９上に載設する構造を考えた。この場合、突出延設部４は段部９上に載設されて強固に支持されるものの、同突出延設部４の先端部分が上方へ浮き上がって確実に取着されないという問題を生じた。この問題を解決する手段として、突出延設部４の先端付近の裏面を段部９の上面に両面テープ17を介して貼着することを試みたが、貼着では仮固定レベルで固定手段としては十分でなく、施工後に同突出延設部４の先端部分が剥がれて上方へ浮き上がるという不安は解消されないものであった。
【特許文献１】特開平９−１３７１０号公報
【発明の開示】
【発明が解決しようとする課題】
【０００５】
本願発明は、上記従来の技術に鑑みて発明されたものであり、その課題は、カウンター本体の前縁部の一部分が隣接する浴槽の上縁部分に略沿って前方へ一体に突出延設されている浴室カウンターにおいて、同突出延設部の先端付近の浮き上がりが簡単且つ確実に防止される浴室カウンターを提供することである。
【課題を解決するための手段】
【０００６】
上記課題を解決するため、本願発明の浴室カウンターは、浴室の内壁面に突設されるものであって、カウンター本体の前縁部の一部分が隣接する浴槽の上縁部分に略沿って前方へ一体に突出延設されており、この突出延設部の先端付近に浴槽側へ出入操作自在な係止片を設け、浴槽のフランジ部の下側に同係止片を係合させてなるものである。
【発明の効果】
【０００７】
本願発明の浴室カウンターにおいては、カウンター本体の突出延設部の先端付近に浴槽側へ出入操作自在な係止片を設けているので、この係止片を操作して浴槽のフランジ部の下側に係合させることにより、同突出延設部の先端付近の浮き上がりを簡単且つ確実に防止することができる。
【発明を実施するための最良の形態】
【０００８】
図１〜５は、本願発明の請求項１〜５全てに対応した一実施形態である浴室カウンターを示す。この実施形態の浴室カウンターは、組立式のユニットルームである浴室の内壁面１に突設されるものである。この浴室カウンターでは、カウンター本体２の前縁部2aの一部分が隣接する浴槽３の上縁部分に略沿って前方へ一体に突出延設されており、この突出延設部４の先端付近に浴槽３側へ出入操作自在な係止片５を設け、浴槽３のフランジ部６の下側に同係止片５を係合させている。
【０００９】
また、この実施形態の浴室カウンターでは、浴室の洗い場床パン７の側縁部分にエプロン体８が立設され、このエプロン体８の上端部分に浴槽３側へと折曲した段部９が形成されており、浴槽３のフランジ部６及びカウンター本体２の突出延設部４が同段部９上に載設された状態で係止片５を同フランジ部６の下側に係合させている。この場合、エプロン体８の段部９の浴槽３側端縁に上方へ折曲した立ち上がり片10を形成し、浴槽３のフランジ部６の洗い場側端縁に下方へ折曲した垂下片11を形成し、この垂下片11を同立ち上がり片10の外側に係合させ、この状態で係止片５を同垂下片11の下端縁に係合させている。
【００１０】
しかも、この実施形態の浴室カウンターでは、カウンター本体２の突出延設部４の裏側に略Ｌ字平板状の係止片５をその略中央を軸部5aとして水平面内回動自在に枢着し、この係止片５の一辺を同突出延設部４の浴槽３側から出入自在となって浴槽３のフランジ部６の下側に係合される係合部5bとなすと共に、他辺を同突出延設部４の洗い場側から出入自在となる操作部5cとなしている。そして、カウンター本体２は横長状でその前縁部2aが湾曲状に凹んだ形状に形成されることで、同カウンター本体２の一側端前縁部2aに突出延設部４が延設されている。
【００１１】
以下、この実施形態の浴室カウンターをより具体的詳細に説明する。この実施形態における浴室は、建物躯体の所定のスペース内で組立施工される組立式のユニットルームであり、床部位に洗い場床パン７及び浴槽３が設置され、これ等の周囲に浴室の内壁面１となる壁パネルが立設されて壁部位が施工され、この壁パネルの上端間に天井パネル（図示せず）が架設されて天井部位が施工されて組み立てられている。
【００１２】
洗い場床パン７と浴槽３との間では、図４に示す如き接続構造となる。すなわち、洗い場床パン７の浴槽３側縁部分にエプロン体８が一体に立設され、このエプロン体８の上端部分に浴槽３側へ折曲した略水平な段部９が形成され、この段部９の浴槽３側端縁に上方へ折曲した立ち上がり片10が形成される。そして、浴槽３の上端部分に設けられるフランジ部６の洗い場側端縁に下方へ折曲した垂下片11が形成され、この垂下片11が前記立ち上がり片10の外側に係合されて、同フランジ部６は前記エプロン体８の段部９上に載設支持される。この場合に、段部９の上面と垂下片11の下端縁との間に若干の隙間Ｓが設けられると共に、同段部９の上面の大部分は略水平面として上方へ露出される。
【００１３】
カウンター本体２は合成樹脂等で一体成形され、図１、５に示す如く、平面視横長の略矩形状に形成され、その前縁部2aのみが湾曲状に凹んだ形状に形成されて、この前縁部2aの浴槽３側の一側端部分が突出延設部４として、前方へ同浴槽３の上縁部分に略沿って一体に延設されている。カウンター本体２の厚み寸法は前記フランジ部６の垂下片11の垂下上下方向寸法と略等しく形成されており、同カウンター本体２の後縁部にはバックガード片2bが一体に立設されている。そして、カウンター本体２の後縁部は浴室の内壁面１にＬ型金具やネジ止め具等の固着具（図示せず）で取着固定され、同カウンター本体２の浴槽３側の一側端部分は突出延設部４と共に前記上方へ露出した段部９上に載設される。この場合、カウンター本体２の後縁部は浴室の内壁面１に取着固定されているが、前記エプロン体８及び段部９が浴室の内壁面１側にまで延設されている場合には、この段部９上に同カウンター本体２の後縁部を載設支持させて貼着固定してもよい。
【００１４】
また、カウンター本体２の前記突出延設部４の前方先端付近にはその裏面に、図２、３に示す如く、略Ｌ字平板状の係止片５が枢着されている。係止片５は金属製でその略Ｌ字の中央がビス12にて突出延設部４の裏面に取着され、同ビス12の部位を軸部5aとして水平面内回動自在に枢着される。係止片５の略Ｌ字の一辺は突出延設部４の浴槽３側から出入自在な係合部5bとなり、他辺が同突出延設部４の洗い場側から出入自在な操作部5cとなって、両辺（係合部5b、操作部5c）は同突出延設部４の先端と反対側で首を振るように回動する。そして、突出延設部４の洗い場側から突出している操作部5cを手先で回動操作することにより、図１、４に示す如く、この操作部5cは同突出延設部４の裏側に収容されて隠され、反対に係合部5bが同突出延設部４の浴槽３側から突出し、前記フランジ部６の垂下片11の下端縁とエプロン体８の段部９との間の隙間Ｓに挿入されて同垂下片11の下端縁に当接係合される。
【００１５】
なお、前述のような設置施工に際しては、エプロン体８の段部９と浴槽３のフランジ部６との間や突出延設部４を含めたカウンター本体２の周縁部分等にシリコンコーキング材が充填される等して、防水コーキング処理が施される。
【００１６】
したがって、この実施形態の浴室カウンターにおいては、カウンター本体２の突出延設部４の先端付近に浴槽３側へ出入操作自在な係止片５を設けているので、この係止片５を操作して浴槽３のフランジ部６の下側に係合させることにより、同突出延設部４の先端付近の上方への浮き上がりを簡単且つ確実に防止することができる。その際、エプロン体８の上端部分に浴槽３側へと折曲した段部９が形成されており、浴槽３のフランジ部６及びカウンター本体２の突出延設部４が同段部９上に載設された状態で係止片５が同フランジ部６の下側に係合されるので、同係止片５は上下方向に位置決めされてスムーズに係合される。
【００１７】
しかも、この場合、カウンター本体２の浴槽３側の一側端部分は突出延設部４と共に前記段部９上に載設支持され、この支持強度が確保されて所定の高さ位置に同カウンター本体２は設置施工される。また、前記段部９の浴槽３側端縁に上方へ折曲した立ち上がり片10が形成され、前記フランジ部６の洗い場側端縁には下方へ折曲した垂下片11が形成されていて、この垂下片11が同立ち上がり片10の外側に係合された状態で前記係止片５は同垂下片11の下端縁に係合されるので、前記エプロン体８とフランジ部６との係合接続部位となる段部９がうまく利用されて、防水性を確保した状態でカウンター本体２の突出延設部４は確実に係合保持される。そして、突出延設部４を含めたカウンター本体２の厚み寸法が前記垂下片11の垂下上下方向寸法と略等しく形成されているので、前記フランジ部６の上面と同カウンター本体２（突出延設部４）の上面とは略面一状に納まり、施工仕上がり外観が良好なものとなる。
【００１８】
更に、係止片５は略Ｌ字平板状でその略中央を軸部5aとして突出延設部４の裏側に水平面内回動自在となるよう枢着されており、この係止片５の一辺が同突出延設部４の浴槽３側から出入自在となって浴槽３のフランジ部６の下側に係合される係合部5bとなり、他辺が同突出延設部４の洗い場側から出入自在となる操作部5cとなっているので、この操作部5cを手先等で回動操作することにより、同操作部5cは同突出延設部４の裏側に収容されて外観良く隠され、反対に同係合部5bが同突出延設部４の浴槽３側から突出して前記フランジ部６の下側に係合され、このように同係止片５は簡単な取付構造で回動操作によりスムーズに係合されるものとなっている。また、カウンター本体２は横長状でその前縁部2aが湾曲状に凹んだ形状に形成されることにより、同カウンター本体２の一側端前縁部2aに突出延設部４が延設されているので、このカウンター本体２はその前縁部2aに角張った部位がなく浴槽３に隣接するように外観良く設置されて納まり、施工仕上がり外観のデザイン性が向上される。
【００１９】
図６は、本願発明の請求項１〜５全てに対応した別の実施形態である浴室カウンターを示す。この実施形態の浴室カウンターでは、カウンター本体２の下方のスペースを覆い隠すため、同カウンター本体２の前縁部2aの下側に化粧カバー13が取着されている。この場合、汚れ易いカウンター本体２の下方のスペースが化粧カバー13で覆い隠されるので、良好な外観を保持することができる。なお、それ以外は、上記実施形態と同様に構成されており、上記実施形態におけると同様の作用効果が奏される。
【００２０】
図７は、本願発明の請求項１〜５全てに対応した更に別の実施形態である浴室カウンターを示す。この実施形態の浴室カウンターでは、カウンター本体２の下方のスペースを覆い隠す化粧カバー13が洗い場床パン７の周縁部分にエプロン体８と連続して一体に形成され、この化粧カバー13の上端部分にもエプロン体８の上端部分と同様に連続して略水平な段部９が形成されている。この場合、カウンター本体２の下方のスペースが化粧カバー13で覆い隠されて良好な外観が保持され、同カウンター本体２全体を段部９上に載設支持させることができて、支持強度が確保されると共に施工も簡略化される。
【００２１】
すなわち、この実施形態の浴室カウンターにおいては、カウンター本体２の裏面を段部９の上面にシリコンコーキング材や両面テープ等を介して貼着固定することができ、Ｌ型金具やネジ止め具等の固着具を必要としないので施工が簡略化される。また、洗い場床パン７には排水口14が設けられており、この排水口14の上側位置において化粧カバー13には開閉自在な点検口15が形成され、同化粧カバー13には洗面器置き台16も一体に突設されている。なお、それ以外は、上記実施形態と同様に構成されており、上記実施形態におけると同様の作用効果が奏される。
【図面の簡単な説明】
【００２２】
【図１】本願発明の一実施形態である浴室カウンターの施工状態を示す平面図。
【図２】同浴室カウンターの施工状態の要部を示す拡大平面図。
【図３】同浴室カウンターの要部を分解して示す斜め下方からみた分解斜視図。
【図４】同浴室カウンターの施工状態の要部を示す拡大縦断面図。
【図５】同浴室カウンターの施工状態を示す斜視図。
【図６】本願発明の別の実施形態である浴室カウンターの施工状態を示す斜視図。
【図７】本願発明の更に別の実施形態である浴室カウンターの施工状態を示す斜視図。
【図８】従来例である浴室カウンターの施工状態を示す斜視図。
【図９】別の従来例である浴室カウンターの施工状態の要部を示す拡大縦断面図。
【符号の説明】
【００２３】
１  内壁面
２  カウンター本体
2a  前縁部
３  浴槽
４  突出延設部
５  係止片
5a  軸部
5b  係合部
5c  操作部
６  フランジ部
７  洗い場床パン
８  エプロン体
９  段部
10  立ち上がり片
11  垂下片
【図１】
2005198922.tif 000003
【図２】
2005198922.tif 000004
【図３】
2005198922.tif 000005
【図４】
2005198922.tif 000006
【図５】
2005198922.tif 000007
【図６】
2005198922.tif 000008
【図７】
2005198922.tif 000009
【図８】
2005198922.tif 000010
【図９】
2005198922.tif 000011